(57)【特許請求の範囲】
【請求項１】
音楽を構成する音符に対応した音符信号の記憶されている２個の半導体メモリ素子が収容されると共に、該２個の各半導体メモリ素子の端子部がそれぞれ形成されている２個の接続基板が所定の間隔をもって配置されているメモリ装置と、
該メモリ装置の前記２個の接続基板の差込方向によっていずれか一方の前記半導体メモリ素子が選択されるように、片面にのみ湾曲形状又は三角形状とされて自由端を有するばね材による接触部が形成される端子板が設けられた回路基板と、
該回路基板に搭載されて前記メモリ装置に記憶されている音符信号を読み出して音符データに変換して出力する処理装置と、
該処理装置から出力される前記音符データを音信号に変換して出力するサウンドジェネレータと、
該サウンドジェネレータの出力を音に変換するスピーカとを備え、
前記接続基板の差込方向は、板状とされる前記メモリ装置の一面を表側にして所定方向に向けて差し込んだ場合と、前記一面を裏側にして前記所定方向に向けて差し込んだ場合との２通りからなり、
前記メモリ装置の前記回路基板への差込方向によって２種類の音楽のいずれか一方の音楽を選択できるよう構成されたことを特徴とする電子オルゴール。
【請求項２】
前記メモリ装置は、一方向に開口部が形成されるよう内面に凹部が形成されると共に、該凹部の周縁であってかつ開口部から奥行き距離の異なる位置に設けられた複数のガイド兼間隔保持用突起部を有する同形状の２個のシェルと、
該各シェルの前記凹部に嵌合可能な形状を有すると共に、前記ガイド兼間隔保持用突起部に係合する切り欠き部を有し、かつ前記シェルの開口部側に設けられた複数の端子部を有する同形状の２個の接続基板と、
該各接続基板にそれぞれ搭載され、所望の音楽の音符信号が記憶される２個の半導体メモリ素子と、前記各シェルのそれぞれに前記半導体メモリ素子が搭載された前記接続基板を嵌入せしめた状態で前記両シェルを合体して固定する固定手段とから構成されたことを特徴とする請求項１に記載の電子オルゴール。
【請求項３】
前記処理装置は、さらに、前記音符信号をシリアルに発生する音符信号発生装置から伝送される前記音符信号を、所定のタイミングで前記メモリ装置の半導体メモリ素子に記憶させることを特徴とする請求項１または２に記載の電子オルゴール。
【発明の詳細な説明】
【０００１】
【発明の属する技術分野】
本発明は、電子オルゴールに関するもので、特に外部に設けられた音楽を構成する音符信号発生装置からの音符信号により音楽の書き替えが任意に可能な電子オルゴールの提供と、音楽の音符信号が記憶されるメモリ装置を外付けに設けられるようにした電子オルゴールを提供するものである。
【０００２】
【従来の技術】
近年、通常の機械式オルゴールの他に電子オルゴールが開発されつつある。この電子オルゴールは、扱者の好みにより音色を変えることが可能であり、また音質も極めて良好であり、更にコスト的にも有利であるため、その利用価値は大きくなるものと推測される。本願出願人の創作に係る電子オルゴールの電子音発生回路の一例としては、図８に電子オルゴール１として示すような回路がある。
図８において、２は押釦スイッチでオルゴール音の音色を２種類以上に切替えるためのスイッチである。３はＣＰＵを含むコントローラで、スイッチ２のオン信号によって音色切替信号を送出するものである。４はサウンドジェネレータで、予め記憶されているオルゴールの演奏曲を発生させるものである。５はオーディオアンプでサウンドジェネレータ４の出力信号を増幅するものである。６はスピーカ、７は電源スイッチ付ボリュームで、電源のオンオフ制御と共に音量を可変するものである。
【０００３】
サウンドジェネレータ４に対するコントローラ３からの制御信号は、押釦スイッチ２を押すことによって図９に示すように音色指定のデータ／コマンド（Ｄ／Ｃ）が送られ、これに続きデータＮｏがコントローラ３を構成する８ビットのＣＰＵから送られて音色が切り替わるものである。データ（Ｄ0 〜Ｄ7 ）とデータ／コマンド（Ｄ／Ｃ）は、イネーブル信号（Ｅ）の立ち下がりで読み込まれる。この音色切替えは、ＣＰＵのメモリに書き込まれている複数の音色データを押釦スイッチ２を押す度毎に順次に読み出されて、サウンドジェネレータ４に送られる。そして記憶されている複数種類の音色がすべて切り替わると、最初の音色データに戻るようになっている。
【０００４】
【発明が解決しようとする課題】
しかしながら、この従来の電子オルゴール１は、予め音楽の音符信号が記憶されている半導体メモリ素子がサウンドジェネレータ４に組み込まれているものである。従って、その組み込まれている音楽が聴き飽きて別の音楽を聴きたい場合には、機械式オルゴールと同様に別の電子オルゴールを買い求めなければならないという問題があった。また、仮に電子オルゴール内に音楽が記憶されている複数の半導体メモリ素子を組み込んでおき、切替スイッチにより自由に選択できるように構成することも考えられるが、この場合は半導体メモリ素子が複数になり、また複数の半導体メモリ素子を切り替えるスイッチなどを必要とするため、電子オルゴールの小型が阻害され、かつ操作が繁雑になるという問題があった。
【０００５】
本発明は、予め組み込まれている半導体メモリ素子の音楽の内容を、必要に応じて新たな曲目の音楽に変更できる電子オルゴールの提供と、異なる曲目が記憶されている１個又は２個の半導体メモリ素子が組み込まれているメモリ装置を外付けにして、メモリ装置を交換することにより多種類の音楽を聴ける電子オルゴールの提供、及びこの外付けのメモリ装置の半導体メモリ素子に書き込んだり、音楽の内容を別の曲目に変更できる電子オルゴールを提供することによって、電子オルゴールの利用価値を高めることを目的とするものである。
【０００６】
【課題を解決するための手段】
本願の第１発明による電子オルゴールは、音楽を構成する音符に対応した音符信号の書き込み、読み出しが任意に可能な半導体メモリ素子と、前記音符信号をシリアルに発生する音符信号発生装置から伝送される前記音符信号を所定のタイミングで前記半導体メモリ素子に記憶せしめると共に、該半導体メモリ素子に記憶されている前記音符信号を読み出して音符データに変換して出力する処理装置と、該処理装置から出力される前記音符データを音信号に変換して出力するサウンドジェネレータと、該サウンドジェネレータの出力を音に変換するスピーカとを備えたものである。
【０００７】
本願の第２発明による電子オルゴールは、音楽を構成する音符に対応した音符信号の記憶されている半導体メモリ素子が収容されると共に、該半導体メモリ素子の端子部が形成されている接続基板を有するメモリ装置と、該メモリ装置の前記接続基板が差し込まれることによって前記半導体メモリ素子が接続される端子板が設けられた回路基板と、該回路基板に搭載されて前記メモリ装置に記憶されている音符信号を読み出して音符データに変換して出力する処理装置と、該処理装置から出力される前記音符データを音信号に変換して出力するサウンドジェネレータと、該サウンドジェネレータの出力を音に変換するスピーカとを備えたものである。
【０００８】
本願の第３発明による電子オルゴールは、音楽を構成する音符に対応した音符信号が記憶される半導体メモリ素子を収容すると共に、該半導体メモリ素子の端子部が形成されている接続基板を有するメモリ装置と、該メモリ装置の前記接続基板が差し込まれることによって前記半導体メモリ素子が接続される端子板が設けられた回路基板と、該回路基板に搭載されて前記音符信号をシリアルに発生する音符信号発生装置から伝送される前記音符信号を、所定のタイミングで前記メモリ装置の半導体メモリ素子に記憶せしめると共に、該半導体メモリ素子に記憶されている前記音符信号を読み出して音符データに変換して出力する処理装置と、該処理装置から出力される前記音符データを音信号に変換して出力するサウンドジェネレータと、該サウンドジェネレータの出力を音に変換するスピーカとを備えたものである。
【０００９】
本願の第４発明による電子オルゴールは、音楽を構成する音符に対応した音符信号の記憶されている２個の半導体メモリ素子が収容されると共に、該２個の各半導体メモリ素子の端子部がそれぞれ形成されていてる２個の接続基板が所定の間隔をもって配置されているメモリ装置と、該メモリ装置の前記２個の接続基板の差込方向によっていずれか一方の前記半導体メモリ素子が選択されるように、片面にのみばね材による接触部が形成される端子板が設けられた回路基板と、該回路基板に搭載されて前記メモリ装置に記憶されている音符信号を読み出して音符データに変換して出力する処理装置と、該処理装置から出力される前記音符データを音信号に変換して出力するサウンドジェネレータと、該サウンドジェネレータの出力を音に変換するスピーカとを備え、前記メモリ装置の前記回路基板への差込方向によって２種類の音楽のいずか一方の音楽を選択できるよう構成されたものである。
【００１０】
本願の第５発明による電子オルゴールは、音楽を構成する音符に対応した音符信号が記憶される２個の半導体メモリ素子を収容すると共に、該２個の各半導体メモリ素子の端子部が形成されている２個の接続基板が所定の間隔をもって配置されているメモリ装置と、該メモリ装置の前記２個の接続基板の差込方向によっていずれか一方の前記半導体メモリ素子が選択されるように、片面にのみばね材による接触部が形成される端子板が設けられた回路基板と、該回路基板に搭載されて前記音符信号をシリアルに発生する音符信号発生装置から伝送される前記音符信号を、所定のタイミングで前記メモリ装置の２個の半導体メモリ素子に記憶せしめると共に、該２個の半導体メモリ素子に記憶されている前記音符信号を読み出して音符データに変換して出力する処理装置と、該処理装置から出力される前記音符データを音信号に変換して出力するサウンドジェネレータと、該サウンドジェネレータの出力を音に変換するスピーカとを備え、前記メモリ装置に音符信号発生装置からの音符信号を記憶せしめ得ると共に、該メモリ装置に記憶されている音符信号を読み出して音楽を演奏せしめ得るようにしたものである。
【００１１】
【発明の実施の形態】
図１は本発明による電子オルゴールの第１の実施例を示すブロック回路図である。なお、従来例として図８に示した回路図と同じ構成部分は同一記号で示し、その説明を省略する。図１において１１はジャックで、本発明の電子オルゴールに音楽の音符信号をシリアルデータとして供給する音符信号発生装置１２からの伝送線１３のプラグ１４が接続されるものである。１５はＣＰＵからなる処理装置で、ジャック１１から入力される音符信号をクロック信号により所定のタイミングで、例えばＥＥＰＲＯＭよりなる半導体メモリ素子１６に記憶せしめると共に、この半導体メモリ素子１６に記憶されている音符信号を所定のタイミングで読み出し、８ビットの音符データ（Ｄ0 〜Ｄ7 ）とデータ／コマンド（Ｄ／Ｃ）をデータ線（Ｄ0 〜Ｄ7 ，Ａ0 ）により、またライト信号をライト信号線（ＷＥ，ＣＳ）によりサウンドジェネレータ１７に供給するものである。
【００１２】
なお、前述のプラグ１４，ジャック１１に代えて、その他の小型コネクタなどの接続手段を用いてもよい。この接続手段において、例えばプラグ１４，ジャック１１を用いた場合は、図２（ａ）に示すようにプラグ１４が図２（ｂ）に示すジャック１１に差し込まれていない場合は、ジャック１１の制御線１９は接地されており、半導体メモリ素子１６に記憶されている音符信号の読み出しが可能な状態にあるが、図２（ｃ）に示すようにプラグ１４にジャック１１が差し込まれている場合は、ジャック１１の信号線１８はプラグ１４の信号線と接続されると共に、制御線１９は接地から切り離されるようにしてある。従って、プラグ１４とジャック１１との接続の有無によって、半導体メモリ素子１６への音符信号の書き込み状態と、半導体メモリ素子１６からの音符信号の読みだし状態とが切り替えられることができ、電子オルゴールの誤操作を防止することができる。
【００１３】
サウンドジェネレータ１７は、音符データ（Ｄ0 〜Ｄ7 ）とデータ／コマンド（Ｄ／Ｃ）及びライト信号に基づき音信号に変換して出力し、オーディオアンプ５を介してスピーカ６から音楽を送出させるものである。
半導体メモリ素子１６に記憶される音符信号を作成する音符信号発生装置１２は、例えばパーソナルコンピュータ（パソコン）が用いられる。従って、パソコンによりオルゴールの曲目としては馴染みの深い名曲や、近年作曲された話題曲、更には自分自身が作曲したものなどを、パソコンで作成して伝送線により、或いは通信回線を通して半導体メモリ素子１６に記憶させることも可能になり、電子オルゴールの曲目変更が容易になると共に、その利用価値も飛躍的に高まるものである。
【００１４】
【実施例】
本発明の電子オルゴールの第２の実施例を図３に示したブロック回路図により説明する。この実施例は、音楽の音符信号を記憶させる半導体メモリ素子を外付けとするもので、具体的には２個の半導体メモリ素子を組み込んだメモリ装置として構成し、このメモリ装置を交換可能にした電子オルゴールを提供するものである。図３において２１はメモリ装置で、その構造の詳細は図４及び図５に示す。２２はメモリ装置２１を着脱自在に差し込み得る電子オルゴール１の回路基板２３に設けられた端子板で、その端子板２２の構造は図４及び図６に示す。なお、図３のブロック回路図のうち図１に示した本発明の第１の実施例による電子オルゴールのブロック回路図と同じ構成部分は同一記号で示し、その説明を省略する。
【００１５】
図４はメモリ装置２１の構造を説明する斜視図で、図４（ａ）はメモリ装置２１が差し込まれる回路基板２３の端子部を示し、図４（ｂ）はメモリ装置２１の外観を示す斜視図である。また、図５はメモリ装置２１の分解図であって、その一部（片面側）を示す斜視図である。
メモリ装置２１は同じ形状のシェル２４，２５とが合体されて組み立てられているもので、このシェル２４，２５にはそれぞれ半導体メモリ素子２６，２７が搭載されている同じ形状の接続基板２８，２９が組み込まれている。シェル２４，２５には接続基板２８，２９がそれぞれ嵌め込まれる凹部３１が設けられ、凹部３１の一方には電子オルゴールの端子板２２に差し込むための開口部３２が形成されている。
【００１６】
また、凹部３１の周縁には接続基板２８，２９の位置決めをガイドすると共に、接続基板２８，２９の間隔を保持させるための突起部３３が２個設けられている。即ちこの突起部３３，３３は、接続基板２８，２９に設けられている２か所の切り込み部３４，３４に嵌合するようになっており、接続基板２８，２９はシェル２４，２５に上方から嵌め込むようになっている。この嵌め込んだ状態で２つのシェル２４，２５を重ね合せたとき、突起部３３の先端で相手側の接続基板２９，２８の表面を押圧して、両者間の間隔を維持した状態で固定されるようになっている。シェル２４，２５を合体して固定したり又は組み立てる手段としては、シェル２４，２５周縁部を接着剤により固定したり、或いはねじ止めにより組み立てたりするなど、種々の固定手段により行うことができる。
【００１７】
また、シェル２４，２５の突起部３３と接続基板２８，２９の切り込み部３４は２個以上設けてもよいが、シェル２４，２５を合体して組み立てたとき両者の突起部３３が突き当たらないように、開口面３５から異なる距離を有する位置に設ける必要がある。接続基板２８，２９には半導体メモリ素子２６，２７の回路に接続されている複数の端子部３６が設けられていて、メモリ装置２１を電子オルゴール１の回路基板２３に差し込んだとき、一方の接続基板２８又は２９の端子部３６（図４に示す状態で差し込んだときは接続基板２８の端子部３６）が、各端子板２２にそれぞれ接触するようになっている。
【００１８】
一方、電子オルゴール１の回路基板２３に設けられた複数の端子板２２は、図４（ａ）の組立状態を示す斜視図及び図６の端子板２２単体の斜視図に示すように、一端３７が回路基板２３の所要の回路に半田付けされるようになっており、他端３８は回路基板２３の先端に設けられた切り込み３９をガイドとして抱え込むように折り曲げられ、かつ自由端になっている。そして、端子板２２の中間部分４０は回路基板２３の片方の面に湾曲状又は三角状に中央部が盛り上がった形状に形成され、前述した通りメモリ装置２１の接続基板２８，２９のいずれか一方の端子部３６に接触するようになっている。この端子板２２はばね性を有する弾性材料により構成されており、メモリ装置２１の端子部３６との接触を確実なものにしている。
【００１９】
なお、接続基板２８，２９の端子板２２と接触する面と反対側の接続基板２８，２９の端子部３６は、回路基板２３の回路に接触しないように間隙が設けられる構造である。また、メモリ装置２１を回路基板２３に差し込むとき、回路基板２３の電源端子が最後に回路に接続されるように、接続基板２８，２９の電源端子部を他の端子部よりも開口面３５から奥側に設ける配慮を要する。
このように半導体メモリ素子を搭載した２個の接続基板２８，２９を設けたメモリ装置２１を用いた場合は、メモリ装置２１の差し込み方向に対応した接続基板２８又は２９に接続されることになり、差し込み方向によって、所望の半導体メモリ素子２５又は２６の音楽を選択することができる。
また、前述の実施例ではメモリ装置２１に半導体メモリ素子２６，２７をそれぞれ搭載した２個の接続基板２８，２９を設けたものとして説明したが、半導体メモリ素子を搭載した接続基板１個を設けたメモリ装置として用いることは勿論可能であって、この場合はメモリ装置の厚さを薄くでき、電子オルゴール自体の小形化が図れるメリットがある。
【００２０】
次に本発明の第３の実施例を図７により説明する。この実施例は、図１に示したパソコンなどを用いて音符信号を作成し伝送する音符信号発生装置１２からの音符信号を、図４及び図５に示した外付けのメモリ装置２１に記憶させるようにしたものである。即ち、この実施例はメモリ装置２１を複数用意することにより、音符信号発生装置１２によって作成された多数の音楽の音符信号を、メモリ装置２１に随意に記憶させることができるため、電子オルゴールの演奏曲目をその時々の雰囲気や気分などによって、多数のメモリ装置２１の中から選曲することができるもので、電子オルゴールの楽しみ方を更に高めることができる。
【００２１】
【発明の効果】
以上詳細に説明したように本発明による電子オルゴールは、音楽の音符に対応する音符信号を記憶している半導体メモリ素子の音符信号を外部の音符信号発生装置からの伝送入力により書き替え得るようにしたり、音符信号が記憶されている半導体メモリ素子を１個又は２個収容したメモリ装置を外付けとしたり、或いはこの外付けのメモリ装置に外部の音符信号発生装置からの伝送入力により記憶せしめたり書き替えたりすることにより、１個の電子オルゴールで自分の好みに合う多数の曲目の音楽を聴くことができ、更には自分自身で作曲したメロディーを聴くこともできるなど、電子オルゴールの利用価値を飛躍的に高めることができる。
【図面の簡単な説明】
【図１】本発明による電子オルゴールの第１の実施例のブロック回路である。
【図２】本発明による電子オルゴールに外部から伝送される音符信号の入力手段であるプラグに対するジャックの接続状態を示す模式図である。
【図３】本発明による電子オルゴールの第２の実施例のブロック回路である。
【図４】本発明の電子オルゴールの一部を構成する外付けのメモリ装置とそのメモリ装置が差し込まれる回路基板の一部の斜視図である。
【図５】本発明の電子オルゴールの一部を構成する外付けのメモリ装置の分解斜視図である。
【図６】本発明の電子オルゴールの回路基板のに用いられる端子板の斜視図である。
【図７】本発明による電子オルゴールの第３の実施例のブロック回路である。
【図８】従来の電子オルゴールの一例を示すブロック回路図である。
【図９】図８に示したブロック回路図のコントローラとサウンドジェネレータとの間のタイミングを示す波形図である。
【符号の説明】
１  電子オルゴール
２  押釦スイッチ
３  ＣＰＵを含むコントローラ
４，１７  サウンドジェネレータ
５  オーディオアンプ
６  スピーカ
７  電源スイッチ付ボリューム
１１  ジャック
１２  音符信号発生装置
１３  伝送線
１４  プラグ
１５  ＣＰＵからなる処理装置
１６，２６，２７  半導体メモリ素子
１８  信号線
１９  制御線
２１  メモリ装置
２２  回路基板の端子板
２３  回路基板
２４，２５  シェル
２８，２９  接続基板
３１  シェルの凹部
３２  シェルの開口部
３３  シェルの突起部
３４  回路基板の切り込み部
３５  シェルの開口面
３６  接続基板の端子部
３７  端子板の一端
３８  端子板の他端
３９  切り込み部
４０  端子板の中間部分
【図１】
0004036308.tif 000002
【図２】
0004036308.tif 000003
【図３】
0004036308.tif 000004
【図４】
0004036308.tif 000005
【図５】
0004036308.tif 000006
【図６】
0004036308.tif 000007
【図７】
0004036308.tif 000008
【図８】
0004036308.tif 000009
【図９】
0004036308.tif 000010